(57)【特許請求の範囲】
【請求項１】
バイオリンの弓の基部に右手指の適正位置習得のために着脱自在とした右手保型具よりなり、
右手保型具は、右手掌の幅員より少なくとも長く形成した長手状の保型本体と、
保型本体の端部に設けてバイオリンの弓に装着可能に構成した装着手段と、
保型本体略中央部下方に前後方向に親指を保持固定できるように構成した親指保型部と、
保型本体の右端近傍において小指を上方から縦方向に保持固定できるように構成した小指保型部と、
保型本体の上方において親指と小指以外の３本の指を横方向に適正な並列状態で保持固定できるように構成した３本指保型部と、
より構成し、
３本指保型部は、保型本体の上面において３本の指の先端部分を挟持すべく保型本体の略両端部に架設した細帯状の３本指挟持体と、３本指挟持体の下方位置において人差指基部を挟持すべく保型本体の小指側端部と保型本体の中途部に架設した細帯状の人差指挟持体とより構成したことを特徴とするバイオリンの弓基部把持のための右手保型具。
【請求項２】
３本指挟持体と人差指挟持体は材質をシリコンとし内側に柔軟部材を形成したことを特徴とする請求項１に記載のバイオリンの弓基部把持のための右手保型具。
【請求項３】
バイオリンの弓の基部に右手指の適正位置習得のために着脱自在とした右手保型具よりなり、
右手保型具は、右手掌の幅員より少なくとも長く形成した長手状の保型本体と、
保型本体の端部に設けてバイオリンの弓に装着可能に構成した装着手段と、
保型本体略中央部下方に前後方向に親指を保持固定できるように構成した親指保型部と、
保型本体の右端近傍において小指を上方から縦方向に保持固定できるように構成した小指保型部と、
保型本体の上方において親指と小指以外の３本の指を横方向に適正な並列状態で保持固定できるように構成した３本指保型部と、
より構成し、
３本指保型部は、保型本体の後背面に３本の縦筒体を立設し、人差指と中指と薬指よりなる３本指の先端部分が縦方向に並列した３本の縦筒体中にそれぞれ保持固定されるように構成したことを特徴とするバイオリンの弓基部把持のための右手保型具。
【請求項４】
３本指保型部において人差指を保持固定する人差指縦筒体は隣接する中指縦筒体よりやや離隔して配設したことを特徴とする請求項３に記載のバイオリンの弓基部把持のための右手保型具。
【発明の詳細な説明】
【技術分野】
【０００１】
この発明は、バイオリンの弓基部を適正に把持する指位置の習得用の右手保型具に関する。
【背景技術】
【０００２】
従来、バイオリンは、基本的には略８の字型のバイオリン本体と、中央先端部に突設した竿体としてのネックと、ネック先端とバイオリン本体との間に張設した弦とにより構成されている。
【０００３】
演奏に際しては、顎と左肩との間にバイオリン本体の隅部を挟持しながら左手でネック先端部を把持しつつ左手の４本の指で弦をネック上面に押えて別途用意した弓で弦を擦って独特のバイオリン音を奏でるように構成している。
【０００４】
バイオリンの練習は、まずバイオリン本体を顎と左肩で保持する姿勢のトレーニングと弓の把持姿勢のトレーニングよりなる。
【０００５】
特に弓の把持姿勢は、弓と弦との擦り合わせによって音を作るという重要な要素であるため、従来、弓を把持するための５本の指姿勢の固定化練習具が種々考えられてきた。
【０００６】
例えば、特許文献１には、弓の持ち方の練習器具が開示されている。
【先行技術文献】
【特許文献】
【０００７】
【特許文献１】国際公開第２００９／１３４４９４号公報
【発明の概要】
【発明が解決しようとする課題】
【０００８】
これらの練習具は、右手指の適正位置を体に覚えさせるように各指の位置固定要素から成立している。例えば、各指位置を固定するための指挿入パイプであったり、指先端、特に指腹先端面を当接するための指当接部であったり、指全体の相互位置関係を体感するために弓基部に形成した右手全体のグリップ形状であったりする。
【０００９】
しかし、いずれも指の適正位置を体感することはできるが、指に無理な負荷をかけて指を痛めたり、指と弓との当接部が浅すぎて弓の把持機能が低下し、練習中に弓を取り落したり、指の位置固定のための保型部材によって指の自由度が失われるため、弓の操作が円滑に行かなかったり、弓の操作感触が直截的に指に伝わらないため弓操作がぎこちなく自由な弓操作が行えなくなったり等の種々の不都合が生じていた。
【００１０】
この発明は、バイオリンの弓基部を適正に把持するための右手保型具であり、保型本体に親指保型部と小指保型部と３本指保型部とを形成し、右手指の各指がこれらに案内されることで弓基部の確実な把持と指の自由度を満足させる右手指の適正位置を習得できるようにしたバイオリンの弓基部把持のための右手保型具を提供せんとする。
【課題を解決するための手段】
【００１１】
この発明は、バイオリンの弓の基部に右手指の適正位置習得のために着脱自在とした右手保型具よりなり、右手保型具は、右手掌の幅員より少なくとも長く形成した長手状の保型本体と、保型本体の端部に設けてバイオリンの弓に装着可能に構成した装着手段と、保型本体略中央部下方に前後方向に親指を保持固定できるように構成した親指保型部と、保型本体の右端近傍において小指を上方から縦方向に保持固定できるように構成した小指保型部と、保型本体の上方において親指と小指以外の３本の指を横方向に適正な並列状態で保持固定できるように構成した３本指保型部と、より構成し、３本指保型部は、保型本体の上面において３本の指の先端部分を挟持すべく保型本体の略両端部に架設した細帯状の３本指挟持体と、３本指挟持体の下方位置において人差指基部を挟持すべく保型本体の小指側端部と保型本体の中途部に架設した細帯状の人差指挟持体とよりなることを特徴とするバイオリンの弓基部把持のための右手保型具を提供せんとするものである。
【００１３】
また、３本指挟持体と人差指挟持体は材質をシリコンとし内側に柔軟部材を形成したことにも特徴を有する。
【００１４】
また、バイオリンの弓の基部に右手指の適正位置習得のために着脱自在とした右手保型具よりなり、右手保型具は、右手掌の幅員より少なくとも長く形成した長手状の保型本体と、保型本体の端部に設けてバイオリンの弓に装着可能に構成した装着手段と、保型本体略中央部下方に前後方向に親指を保持固定できるように構成した親指保型部と、保型本体の右端近傍において小指を上方から縦方向に保持固定できるように構成した小指保型部と、保型本体の上方において親指と小指以外の３本の指を横方向に適正な並列状態で保持固定できるように構成した３本指保型部と、より構成し、３本指保型部は、保型本体の後背面に３本の縦筒体を立設し、人差指と中指と薬指よりなる３本指の先端部分が縦方向に並列した３本の縦筒体中にそれぞれ保持固定されるように構成したことにも特徴を有する。
【００１５】
また、３本指保型部において人差指を保持固定する人差指縦筒体は隣接する中指縦筒体よりやや離隔して配設したことにも特徴を有する。
【発明の効果】
【００１６】
請求項1，３の発明によれば、右手保型具は、右手掌の幅員より少なくとも長く形成した長手状の保型本体と、保型本体の端部に設けてバイオリンの弓に装着可能に構成した装着手段と、保型本体略中央部下方に前後方向に親指を保持固定できるように構成した親指保型部と、保型本体の右端近傍において小指を上方から縦方向に保持固定できるように構成した小指保型部と、保型本体の上方において親指と小指以外の３本の指を横方向に適正な並列状態で保持固定できるように構成した３本指保型部と、より構成したことにより、右手の各指を所定の各保型部に保持させるだけで、弓を把持するための理想的な右手形状を再現させることができる効果がある。
【００１７】
また、右手の全ての指が所定の各保型部に保持されるように構成しているので、本右手保型具のみで弓を把持するための理想的な右手形状を習得することができるという効果がある。
【００１８】
また、装着手段によってバイオリンの弓に容易に装着可能であることから、バイオリン使用時に容易に装着でき、しかも、弓をバイオリンケースに収納する際にも容易に取り外すことができ、バイオリンケースの弓収納部の形状によっては、装着したまま収納することもできるという効果がある。
【００１９】
請求項１の発明によれば、３本指保型部は、保型本体の上面において３本の指の先端部分を挟持すべく保型本体の略両端部に架設した細帯状の３本指挟持体と、３本指挟持体の下方位置において人差指基部を挟持すべく保型本体の小指側端部と保型本体の中途部に架設した細帯状の人差指挟持体とより構成したことにより、人差指を中指から離間して把持するという初心者には困難な把持方法を容易に習得することができるという効果がある。
【００２０】
また、３本指挟持体と人差指挟持体を細帯状に形成しているので、人差指と中指と薬指を保型本体と各挟持体との間に容易に挿通でき、しかも各指位置は適度に動かすことができる自由度があるので、指に無理な負荷をかけることがないという効果がある。
【００２１】
また、右手各指の先端部の指腹面が右手保型具で被覆されることがなく、バイオリンの弓を把持する際に指が直に弓と触れるため、弓を確実に把持することができ、練習中に弓を取り落すことがなく、しかも、弓の操作感触が直截的に指に伝わるので弓操作を円滑に行うことができるという効果がある。
【００２２】
請求項２の発明によれば、３本指挟持体と人差指挟持体は材質をシリコンとし内側に柔軟部材を形成したにより、指に無理な負荷がかからず指を痛めることなく長時間の練習を行うことができるという効果がある。
【００２３】
請求項３の発明によれば、３本指保型部は、保型本体の後背面に３本の縦筒体を立設し、人差指と中指と薬指よりなる３本指の先端部分が縦方向に並列した３本の縦筒体中にそれぞれ保持固定されるように構成したことにより、右手の全ての指が所定の各保型部に個別に保持されるように構成しているので、本右手保型具のみで弓を把持するための理想的な右手形状を容易に習得することができるという効果がある。 
【００２４】
請求項４の発明によれば、３本指保型部において人差指を保持固定する人差指縦筒体は隣接する中指縦筒体よりやや離隔して配設したことにより、人差指を中指から離間して把持するという初心者には困難な把持方法を容易に習得することができるという効果がある。
【図面の簡単な説明】
【００２５】
【図１】本発明の第一実施形態に係るバイオリンの弓基部把持のための右手保型具の使用状態を示す説明図である。
【図２】右手保型具と弓の後部側を示す斜視図である。
【図３】右手保型具を弓に装着した状態を示す斜視図である。
【図４】（ａ）は右手保型具の正面図、（ｂ）は背面図、（ｃ）は平面図である。
【図５】（ａ）は右手保型具に右手指を保型する途中を示す説明図、（ｂ）は右手保型具に右手指を保型した状態を示す説明図である。
【図６】（ａ）は右手保型具に右手指を保型した状態を示す背面図、（ｂ）は（ａ）における小指近傍の断面を弓の先端部側から見た部分断面図、（ｃ）は（ａ）における親指近傍の断面を弓の先端部側から見た部分断面図である。
【図７】本発明の第二実施形態に係るバイオリンの弓基部把持のための右手保型具の使用状態を示す説明図である。
【図８】右手保型具と弓の後部側を示す斜視図である。
【図９】（ａ）は右手保型具を弓に装着した状態を示す斜視図、（ｂ）は右手保型具に右手指を保型した状態を示す説明図である。
【図１０】（ａ）は右手保型具に右手指を保型した状態を示す背面図、（ｂ）は右手保型具の構成を簡略的に示した説明図、（ｃ）は右手保型具の背面図である。
【発明を実施するための形態】
【００２６】
この発明の実施形態を図面に基づき詳説する。
【００２７】
図１は本発明の第一実施形態に係るバイオリンの弓基部把持のための右手保型具１の使用状態を示す説明図である。
【００２８】
図１に示すようにバイオリンＡは、基本的には中央部の両側板を凹状に形成した略８の字外型のバイオリン本体Ｂと、本体Ｂ先端部から突設して弦Ｃをバイオリン本体Ｂとの間に張るために使用されるネックといわれる竿体Ｂ１とからなり、演奏に際してはバイオリン本体Ｂの後端部Ｂ２の左隅部Ｂ３をあごＪと左肩ＳＬとの間に挟持してバイオリン本体Ｂを確実にあごＪで保持しながら４本の左手指Ｎで弦Ｃを押さえ右手Ｒで弓Ｆを操作しながら弦Ｃを擦ってバイオリン独特の音を発生するように構成されている。
【００２９】
また、バイオリンＡは、基本的にバイオリン本体Ｂの後端部Ｂ２の左隅部Ｂ３をあごＪと左肩ＳＬとの間に挟み演奏するように構成されている。しかも、バイオリン本体Ｂの後端部Ｂ２の左隅部Ｂ３表板には左肩ＳＬとの間にバイオリン後端部Ｂ２を挟持するためのあご当て部Ｄが湾曲凹状に設けられている。
【００３０】
また、弓Ｆは主として、弦Ｃを擦るための弓毛Ｈを先端部で固定する木製で略丸棒状のスティックＫと、スティックＫの後部側で弓毛Ｈを巻き込んで固定しスティックＫ上をスライド自在に連結した毛箱Ｘと、回転により毛箱Ｘをスライド自在として弓毛Ｈの張り具合を調整可能とするスクリューＹとで構成している。
【００３１】
また、弓毛Ｈは馬の尻尾の毛を脱色したものが用いられ、複数の毛を並列させスティックＫの先端部ＩＳと毛箱Ｘとの間に偏平状に張設している。また、毛箱Ｘの直前に位置するスティックＫには円筒状のサムグリップＧが挿通固定されている。なお、サムグリップＧは、スティックＫの保護や、指の滑り止めの役割を果す。
【００３２】
本発明の要旨は、バイオリンＡの弓Ｆの基部Ｏに右手指Ｗの適正位置習得のために着脱自在とした右手保型具１よりなり、右手保型具１は、右手掌の幅員より少なくとも長く形成した長手状の保型本体２と、保型本体２の端部に設けてバイオリンＡの弓Ｆに装着可能に構成した装着手段３と、保型本体２略中央部下方に前後方向に親指Ｗ１を保持固定できるように構成した親指保型部４と、保型本体２の右端近傍において小指Ｗ５を上方から縦方向に保持固定できるように構成した小指保型部５と、保型本体２の上方において親指Ｗ１と小指Ｗ５以外の３本の指Ｗ２，Ｗ３，Ｗ４を横方向に適正な並列状態で保持固定できるように構成した３本指保型部６と、より構成したことを特徴とするバイオリンの弓基部把持のための右手保型具１に関する。
【００３３】
このように構成することで、右手指Ｗの各指Ｗ１〜５が親指保型部４等に案内されることで弓Ｆ基部Ｏの確実な把持と指の自由度を満足させる右手指Ｗの適正位置を習得することができる。
【００３４】
以下、本発明の実施形態として、第一・第二実施形態の２つの実施形態について説明する。
【００３５】
なお、説明中の左右とは、特に指定しない限り、毛箱Ｘを下にして弓Ｆの先端部ＩＳ側を左、後端部のスクリューＹ側を右とした位置関係を基準として説明し、前後とは上記左右の位置関係において手前側を前、奥側を後とし、上下とは上記左右の位置関係において上側を上、下側を下として説明する。また、右手保型具１，１ａは上記位置関係の弓Ｆに装着した状態を基準として左右・前後・上下として説明する。
【００３６】
従って、例えば、図４（ａ）における装着手段３，３は保型本体２の左右側に配設されており、親指保型部４と人差指挟持体１２は前後方向に開口を有し、小指保型部５は保型本体２の上部に配設されていることになる。
【００３７】
[第一実施形態]
図２は第一実施形態に係る右手保型具１と弓Ｆの後部側を示す斜視図、図３は右手保型具１を弓Ｆに装着した状態を示す斜視図、図４（ａ）は右手保型具１の正面図、図４（ｂ）は背面図、図４（ｃ）は平面図、図５（ａ）は右手保型具１に右手指Ｗを保型する途中を示す説明図、図５（ｂ）は右手保型具１に右手指Ｗを保型した状態を示す説明図、図６（ａ）は右手保型具１に右手指Ｗを保型した状態を示す背面図、図６（ｂ）は図６（ａ）における小指Ｗ５近傍の断面を弓Ｆの先端部ＩＳ側から見た部分断面図、図６（ｃ）は図６（ａ）における親指Ｗ１近傍の断面を弓Ｆの先端部ＩＳ側から見た部分断面図である。
【００３８】
本発明の第一実施形態に係るバイオリンの弓基部把持のための右手保型具１は、図１、図２、図６（ａ）に示すように、右手掌の幅員より少なくとも長く形成した長手状の保型本体２を備えている。保型本体２は、軟質塩化ビニール（ＰＶＣ）やシリコン樹脂等の柔軟性を有する可撓性材料で形成し、スティックＫの断面曲率に近似した曲率を上半部に形成した断面略半円弧状に形成している。
【００３９】
また、保型本体２の両端部には、スティックＫの外周面を巻回して囲繞する装着手段３を形成している。具体的には、装着手段３は、保型本体２の径方向に帯状に延伸した巻回片７を形成し、巻回片７の先端部内側に面ファスナー８ａの一方を添着すると共に巻回片７の基部外側には面ファスナー８ｂの他方を添着している。
【００４０】
このように、係合する２つの面ファスナー８ａ，８ｂを巻回片７の所定箇所に添着することで、図３に示すように、スティックＫに巻回した巻回片７を面ファスナー８ａ，８ｂで固定して保型本体２をスティックＫに装着することができる。
【００４１】
また、スティックＫにおける２つの巻回片７，７の固定位置は、一方をスティックＫの後端部、すなわち、スクリューＹと毛箱Ｘとの間とし、他方をサムグリップＧの左方としている。
【００４２】
保型本体２略中央部下方には、前後方向に親指Ｗ１を保持固定できるように構成した親指保型部４を形成している。親指保型部４はスティックＫ側に開口を有する円環状に形成し、端部に形成した連結片９によって保型本体２と連結している。
【００４３】
また、保型本体２の右端近傍において小指Ｗ５を上方から略縦方向に保持固定できるように構成した小指保型部５を形成している。小指保型部５は開口部を上下とする円筒状に形成し、保型本体２の上面に突設すると共に開口部が保型本体２を貫通している。
【００４４】
また、保型本体２の上方において親指Ｗ１と小指Ｗ５以外の３本の指Ｗ２，Ｗ３，Ｗ４を横方向に適正な並列状態で保持固定できるように３本指保型部６を形成している。
【００４５】
３本指保型部６は、保型本体２の上面において３本の指Ｗ２，Ｗ３，Ｗ４の先端部分を挟持すべく保型本体２の略両端部に架設した細帯状の３本指挟持体１０と、３本指挟持体１０の下方位置において人差指基部を挟持すべく保型本体２の小指側端部１１と保型本体２の中途部に架設した細帯状の人差指挟持体１２とより構成している。
【００４６】
すなわち３本指挟持体１０は、一方の端部を小指保型部５の後側壁と連設し、他方の端部を保型本体２の左後側壁と連設している。従って、図４（ａ）、（ｂ）、（ｃ）に示すように、３本指挟持体１０と保型本体２とで形成される開口は略上下開口となる。また、３本指挟持体１０は、保型本体２との間で形成される開口に人差指Ｗ２と中指Ｗ３と薬指Ｗ４の３本の指を上方から挿入可能なように余裕を持たせて架設している。
【００４７】
また、人差指挟持体１２は、小指保型部５の後側壁で連設する３本指挟持体１０の一方の端部の下方位置、すなわち保型本体２の小指側端部１１となる親指保型部４の連結片９近傍であって保型本体２の上面において一方の端部を連結し、他方の端部は保型本体２の中途部、すなわち保型本体２の左端部に形成された巻回片７よりも内側に連設している。従って、人差指挟持体１２と保型本体２とで形成される開口は略前後開口となる。また、人差指挟持体１２は、保型本体２との間で形成される開口に人差指Ｗ２を前方から後方に向けて挿入可能なように余裕を持たせて架設している。
【００４８】
このように、第一実施形態に係るバイオリンの弓基部把持のための右手保型具１では、３本指保型部６を３本指挟持体１０と人差指挟持体１２とで構成している。従って、人差指Ｗ２と中指Ｗ３と薬指Ｗ４の３本の指は、図５（ａ）、（ｂ）、図６（ａ）に示すように、人差指Ｗ２を人差指挟持体１２に挿通して人差指基部を人差指挟持体１２で挟持しつつ、人差指Ｗ２と中指Ｗ３と薬指Ｗ４の３本の指の先端部分を３本指挟持体１０に挿通することで、３本の指Ｗ２，Ｗ３，Ｗ４を横方向に適正な並列状態で保持固定することができる。
【００４９】
また、図６（ｂ）、（ｃ）に示すように、小指Ｗ５と親指Ｗ１の先端指腹面は弓ＦのスティックＫ表面に直に触れ、他の指Ｗ２，Ｗ３，Ｗ４の先端指腹面もスティックＫや毛箱Ｘに直に触れる。すなわち、本右手保型具１の装着は、右手指Ｗの適正位置の習得を可能としつつ、バイオリンＡの弓基部Ｏの把持感覚に違和感を伴わないように構成している。
【００５０】
また、３本指挟持体１０と人差指挟持体１２は材質をシリコンとし内側に柔軟部材を形成し、各指位置が適度に動かすことができる自由度を持たせて指に無理な負荷をかけることがないように構成している。
【００５１】
なお、右手保型具１は、装着手段３の面ファスナー８ａ，８ｂ以外は、同一の材質で一体に形成することが望ましい。
【００５２】
[第二実施形態]
次に、本発明の第二実施形態に係るバイオリンの弓基部把持のための右手保型具１ａについて説明する。なお、本第二実施形態に係る右手保型具１ａと上述した第一実施形態に係る右手保型具１とで共通する部分については同一の符号を付すと共に説明を適宜省略する。
【００５３】
図７は本発明の第二実施形態に係るバイオリンの弓基部把持のための右手保型具１ａの使用状態を示す説明図、図８は右手保型具１ａと弓Ｆの後部側を示す斜視図、図９（ａ）は右手保型具１ａを弓Ｆに装着した状態を示す斜視図、図９（ｂ）は右手保型具１ａに右手指Ｗを保型した状態を示す説明図、図１０（ａ）は右手保型具１ａに右手指Ｗを保型した状態を示す背面図、図１０（ｂ）は右手保型具１ａの構成を簡略的に示した説明図、図１０（ｃ）は右手保型具１ａの背面図である。
【００５４】
第二実施形態に係るバイオリンの弓基部把持のための右手保型具１ａは、図８、図１０（ｃ）に示すように、第一実施形態に係る右手保型具１と同様の保型本体２と装着手段３と親指保型部４とを備えている。
【００５５】
小指保型部５ａは、開口部を上下とする円環状の小指縦筒体２０を上部に形成し、小指縦筒体２０の側壁の一部を下方に延伸して形成した垂直連結片１３を介して小指縦筒体２０を保型本体２の上面に立設している。すなわち、第二実施形態に係る小指保型部５ａは、小指縦筒体２０と垂直連結片１３とで構成している。なお、小指保型部５ａは第一実施形態に係る小指保型部５と同様の構成としてもよい。
【００５６】
３本指保型部６は、図９（ａ）、（ｂ）、図１０（ｂ）に示すように、保型本体２の後背面に３本の縦筒体１４，１５，１６を立設し、人差指Ｗ２と中指Ｗ３と薬指Ｗ４よりなる３本指の先端部分が略縦方向に並列した３本の縦筒体１４，１５，１６中にそれぞれ保持固定されるように構成している。
【００５７】
具体的には、中指Ｗ３と薬指Ｗ４を挿通して保持する中指縦筒体１５と薬指縦筒体１６の側面を保型本体２の後背面側に延伸して中指連結片１７と薬指連結片１８を形成し、各連結片１７，１８を保型本体２の後背面と連設している。なお、中指縦筒体１５と薬指縦筒体１６とは近接する箇所で連結してもよい。
【００５８】
また、３本指保型部６において人差指Ｗ２を保持固定する人差指縦筒体１４は隣接する中指縦筒体１５よりやや離隔して配設している。
【００５９】
具体的には、人差指縦筒体１４と中指縦筒体１５とが近接する互いの外側面間に所定長さの人差指連結片１９を介して人差指縦筒体１４を連設している。
【００６０】
また、図１０（ａ）に示すように、右手Ｒの全ての指Ｗの先端指腹面は弓ＦのスティックＫ表面や毛箱Ｘに直に触れる。すなわち、本右手保型具１ａの装着は、右手指Ｗの適正位置の習得を可能としつつ、バイオリンＡの弓基部Ｏの把持感覚に違和感を伴わないように構成している。
【００６１】
また、３本の縦筒体１４，１５，１６は、図１０（ｃ）に示すように、水平な保型本体２に対して、中指縦筒体１５と薬指縦筒体１６の各開口は左斜め上方を向くように、人差指縦筒体１４の開口は上下を向くように形成している。具体的には、中指縦筒体１５と薬指縦筒体１６の各開口は略５°〜２５°の傾斜を設けて配設している。なお、本傾斜は略１５°が最も望ましい。
【００６２】
また、人差指縦筒体１４は本右手保型具１ａの使用時に柔軟に傾斜することが望ましく、人差指連結片１９の形状により強度を弱めるか人差指連結片１９をより柔軟性のある材料で形成することもできる。
【００６３】
なお、右手保型具１ａは、装着手段３の面ファスナー８ａ，８ｂ以外は、同一の材質で一体に形成することが望ましい。
【００６４】
以上、第一・第二実施形態で説明したように本発明に係るバイオリンの弓基部把持のための右手保型具１，１ａは構成している。
【００６５】
このように、第一・第二実施形態に係るバイオリンの弓基部把持のための右手保型具１，１ａは、右手掌の幅員より少なくとも長く形成した長手状の保型本体２と、保型本体２の端部に設けてバイオリンＡの弓Ｆに装着可能に構成した装着手段３と、保型本体２略中央部下方に前後方向に親指Ｗ１を保持固定できるように構成した親指保型部４と、保型本体２の右端近傍において小指Ｗ５を上方から縦方向に保持固定できるように構成した小指保型部５と、保型本体２の上方において親指Ｗ１と小指Ｗ５以外の３本の指Ｗ２，Ｗ３，Ｗ４を横方向に適正な並列状態で保持固定できるように構成した３本指保型部６と、より構成したことにより、右手Ｒの各指Ｗ，を所定の各保型部４，５，６に保持させるだけで、弓Ｆを把持するための理想的な右手形状を再現させることができる効果がある
【００６６】
また、右手Ｒの全ての指Ｗ１〜５が所定の各保型部４，５，６に保持されるように構成しているので、本右手保型具１，１ａのみで弓Ｆを把持するための理想的な右手形状を習得することができるという効果がある。
【００６７】
更に、装着手段３によってバイオリンＡの弓Ｆに容易に装着可能であることから、バイオリンＡ使用時に容易に装着でき、しかも、弓Ｆをバイオリンケースに収納する際にも容易に取り外すことができ、バイオリンケースの弓収納部の形状によっては、装着したまま収納することもできるという効果がある。
【００６８】
また、第一実施形態に係るバイオリンの弓基部把持のための右手保型具１では、３本指保型部６は、保型本体２の上面において３本の指Ｗ２，Ｗ３，Ｗ４の先端部分を挟持すべく保型本体２の略両端部に架設した細帯状の３本指挟持体１０と、３本指挟持体１０の下方位置において人差指基部を挟持すべく保型本体２の小指側端部１１と保型本体２の中途部に架設した細帯状の人差指挟持体１２とより構成したことにより、人差指Ｗ２を中指Ｗ３から離間して把持するという初心者には困難な把持方法を容易に習得することができるという効果がある。
【００６９】
また、３本指挟持体１０と人差指挟持体１２を細帯状に形成しているので、人差指Ｗ２と中指Ｗ３と薬指Ｗ４を保型本体２と各挟持体１０，１２との間に容易に挿通でき、しかも各指位置は適度に動かすことができる自由度があるので、右手指Ｗに無理な負荷をかけることがないという効果がある。
【００７０】
また、右手指Ｗの先端部の指腹面が右手保型具１で被覆されることがなく、バイオリンＡの弓Ｆを把持する際に右手指Ｗが直に弓Ｆと触れるため、弓Ｆを確実に把持することができ、練習中に弓Ｆを取り落すことがなく、しかも、弓Ｆの操作感触が直截的に指Ｗに伝わるので弓Ｆ操作を円滑に行うことができるという効果がある。
【００７１】
更に、３本指挟持体１０と人差指挟持体１２は材質をシリコンとし内側に柔軟部材を形成したにより、右手指Ｗに無理な負荷がかからず指Ｗを痛めることなく長時間の練習を行うことができるという効果がある。
【００７２】
また、第二実施形態に係るバイオリンの弓基部把持のための右手保型具１ａでは、３本指保型部６は、保型本体２の後背面に３本の縦筒体１４，１５，１６を立設し、人差指Ｗ２と中指Ｗ３と薬指Ｗ４よりなる３本指の先端部分が縦方向に並列した３本の縦筒体１４，１５，１６中にそれぞれ保持固定されるように構成したことにより、右手Ｒの全ての指Ｗが所定の各保型部４，５ａ，６に個別に保持されるように構成しているので、本右手保型具１ａのみで弓Ｆを把持するための理想的な右手形状を容易に習得することができるという効果がある。
【００７３】
更に、３本指保型部６において人差指Ｗ２を保持固定する人差指縦筒体１４は隣接する中指縦筒体１５よりやや離隔して配設したことにより、人差指Ｗ２を中指Ｗ３から離間して把持するという初心者には困難な把持方法を容易に習得することができるという効果がある。
【００７４】
以上、本発明の好ましい実施の形態について説明したが、本発明は係る特定の実施形態に限定されるものではなく、特許請求の範囲に記載された本発明の要旨の範囲内において、種々の変形・変更が可能である。
【符号の説明】
【００７５】
Ａ  バイオリン
Ｆ  弓
Ｏ  弓の基部
Ｗ  右手指
Ｗ１  親指
Ｗ２  人差指
Ｗ３  中指
Ｗ４  薬指
Ｗ５  小指
１  右手保型具（第一実施形態）
１ａ  右手保型具（第二実施形態）
２  保型本体
３  装着手段
４  親指保型部
５  小指保型部
６  ３本指保型部
１０  ３本指挟持体
１１  小指側端部
１２  人差指挟持体
１４  人差指縦筒体
１５  中指縦筒体
１６  薬指縦筒体
【要約】      （修正有）【課題】弓基部の確実な把持と指の自由度を満足させる右手指の適正位置を習得できるようにしたバイオリンの弓基部把持のための右手保型具を提供する。【解決手段】バイオリンＡの弓の基部Ｏ把持のための右手保型具１は、バイオリンＡの弓の基部Ｏに右手指の適正位置習得のために着脱自在とした右手保型具１よりなり、右手保型具１は、右手掌の幅員より少なくとも長く形成した長手状の保型本体と、保型本体の端部に設けてバイオリンＡの弓Ｆに装着可能に構成した装着手段と、保型本体略中央部下方に前後方向に親指を保持固定できるように構成した親指保型部と、保型本体の右端近傍において小指を上方から縦方向に保持固定できるように構成した小指保型部と、保型本体の上方において親指と小指以外の３本の指を横方向に適正な並列状態で保持固定できるように構成した３本指保型部と、より構成した。【選択図】図１【図１】
0005759057.tif 000002
【図２】
0005759057.tif 000003
【図３】
0005759057.tif 000004
【図４】
0005759057.tif 000005
【図５】
0005759057.tif 000006
【図６】
0005759057.tif 000007
【図７】
0005759057.tif 000008
【図８】
0005759057.tif 000009
【図９】
0005759057.tif 000010
【図１０】
0005759057.tif 000011